(57)【要約】【課題】表示されるサムネイル画像の数を増やすことなくサムネイル画像を判別しやすくすることができる画像表示装置を提供する。【解決手段】類似度導出手段１２は、第１の標準サムネイル画像と第２の標準サムネイル画像との類似度を導出する。表示制御手段１３は、前記類似度が所定値以上である場合に、操作表示部１０において、前記第１の標準サムネイル画像と前記第２の標準サムネイル画像とが類似していることを表示させ、操作表示部１０により受け付けられたユーザからの指示に応じて、第１の拡大サムネイル画像または第２の拡大サムネイル画像を表示させる制御を行う。【選択図】図１
2010056624.tif 000002
【特許請求の範囲】
【請求項１】
元画像を縮小させることにより、標準サムネイル画像および前記標準サムネイル画像を拡大させた拡大サムネイル画像をそれぞれ生成する画像生成手段と、
前記標準サムネイル画像および前記拡大サムネイル画像を表示する画像表示手段と、
ユーザからの操作により指示を受け付ける操作手段と、
第１の元画像を縮小させた第１の標準サムネイル画像と第２の元画像を縮小させた第２の標準サムネイル画像との類似度を導出する類似度導出手段と、
前記類似度が所定値以上である場合に、前記画像表示手段において、前記第１の標準サムネイル画像と前記第２の標準サムネイル画像とが類似していることを表示させ、前記操作手段により受け付けられたユーザからの指示に応じて、前記第１の標準サムネイル画像を拡大させた第１の拡大サムネイル画像または前記第２の標準サムネイル画像を拡大させた第２の拡大サムネイル画像を表示させる制御を行う表示制御手段と
を備える画像表示装置。
【請求項２】
前記操作手段により受け付けられたユーザからの指示に基づき前記所定値を設定する設定手段
をさらに備える請求項１に記載の画像表示装置。
【請求項３】
前記類似度導出手段により導出された前記類似度を記憶する記憶手段
をさらに備える請求項１乃至請求項２のいずれかに記載の画像表示装置。
【請求項４】
前記画像表示手段と前記操作手段とは一体化されている
請求項１乃至請求項３のいずれかに記載の画像表示装置。
【請求項５】
請求項１乃至請求項４のいずれかに記載の画像表示装置と、
前記元画像を記録媒体上に形成する画像形成手段と
を備え、
前記元画像は、原稿画像である
画像形成装置。
【請求項６】
元画像を縮小させることにより、標準サムネイル画像および前記標準サムネイル画像を拡大させた拡大サムネイル画像をそれぞれ生成する画像生成ステップと、
前記標準サムネイル画像および前記拡大サムネイル画像を表示する画像表示ステップと、
ユーザからの操作により指示を受け付ける操作ステップと、
第１の元画像を縮小させた第１の標準サムネイル画像と第２の元画像を縮小させた第２の標準サムネイル画像との類似度を導出する類似度導出ステップと、
前記類似度が所定値以上である場合に、前記画像表示ステップにおいて、前記第１の標準サムネイル画像と前記第２の標準サムネイル画像とが類似していることを表示させ、前記操作ステップにより受け付けられたユーザからの指示に応じて、前記第１の標準サムネイル画像を拡大させた第１の拡大サムネイル画像または前記第２の標準サムネイル画像を拡大させた第２の拡大サムネイル画像を表示させる制御を行う表示制御ステップと
を備える画像表示方法。
【発明の詳細な説明】
【技術分野】
【０００１】
本発明は、画像表示装置、画像形成装置、および画像表示方法に関する。
【背景技術】
【０００２】
従来、サムネイル等の縮小画像を表示する表示装置などにおいて、縮小された文書画像の各ページを判別しやすくする手法としては、複数枚にわたる文書画像を１ページずつ文字や写真、図形等の各領域ごとに分割し、その分割した画像の差異が大きい部分だけを新たに画像として表示する手法が提案されている（例えば特許文献１）。
【特許文献１】特開２００３−３３１２９９号公報
【発明の開示】
【発明が解決しようとする課題】
【０００３】
ところで、上記従来技術では文書画像の各ページの差異が大きい領域のみを取り出して、新たに差異部分の画像として表示しなければならない。従って、表示されるサムネイル画像の数が増え、ユーザにとって画面が見づらくなってしまうという問題点があった。
【０００４】
本発明は、上述した事情に鑑みてなされたものであり、表示されるサムネイル画像の数を増やすことなくサムネイル画像を判別しやすくすることができる画像表示装置を提供することを目的とする。
【課題を解決するための手段】
【０００５】
上記目的を達成するために、本発明の画像表示装置は、元画像を縮小させることにより、標準サムネイル画像および前記標準サムネイル画像を拡大させた拡大サムネイル画像をそれぞれ生成する画像生成手段と、前記標準サムネイル画像および前記拡大サムネイル画像を表示する画像表示手段と、ユーザからの操作により指示を受け付ける操作手段と、第１の元画像を縮小させた第１の標準サムネイル画像と第２の元画像を縮小させた第２の標準サムネイル画像との類似度を導出する類似度導出手段と、前記類似度が所定値以上である場合に、前記画像表示手段において、前記第１の標準サムネイル画像と前記第２の標準サムネイル画像とが類似していることを表示させ、前記操作手段により受け付けられたユーザからの指示に応じて、前記第１の標準サムネイル画像を拡大させた第１の拡大サムネイル画像または前記第２の標準サムネイル画像を拡大させた第２の拡大サムネイル画像を表示させる制御を行う表示制御手段とを備える。
【発明の効果】
【０００６】
本発明によれば、表示されるサムネイル画像の数を増やすことなくサムネイル画像を判別しやすくすることができる。
【発明を実施するための最良の形態】
【０００７】
以下、図面を参照して、本発明の第１の実施形態について説明する。本実施形態では、本発明に係る画像表示装置として、複写機能、印刷機能及びＦＡＸ送信／受信機能を併せ持つ複合機に備えられるタッチパネルを例にとり説明する。
【０００８】
図１は、本実施形態に係る複合機Ａの機能ブロック図である。複合機Ａは、ＣＰＵ(Central Processing Unit)１、ＲＯＭ(Read Only Memory)２、ＲＡＭ(Random Access Memory)３、各種センサ群４、用紙搬送部５、画像読取部６、ＨＤＤ(Hard Disk Drive)７、画像形成部８、送受信部９及び操作表示部１０を備えている。
【０００９】
ＣＰＵ１は、ＲＯＭ２に記憶されている制御プログラム、ＨＤＤ７に記憶されている原稿画像データ、送受信部９を介して外部機器から入力される各種指示及び操作表示部１０から入力される操作指示に基づいて複合機Ａの全体動作を制御する。また、ＣＰＵ１は後述する画像形成手段１１、類似度導出手段１２、表示制御手段１３、及び閾値設定手段１４としての機能も果たす。このＣＰＵ１の制御処理の詳細については、以下に複合機Ａの動作として説明する。
【００１０】
ＲＯＭ２は、ＣＰＵ１で実行される制御プログラム及びその他のデータを記憶する不揮発性メモリである。
【００１１】
ＲＡＭ３は、ＣＰＵ１が制御プログラムを実行して各種動作を行う際に、データの一時保存先となるワーキングエリアとして用いられる揮発性メモリである。
【００１２】
各種センサ群４は、例えば用紙切れ検出センサや、用紙詰まり検出センサ、用紙位置検出センサ、温度センサ等の画像形成動作に必要な各種センサであり、それぞれのセンサで検出した各種の情報を検出信号としてＣＰＵ１に出力する。
【００１３】
用紙搬送部５は、用紙トレイに収納されている印刷用紙を画像形成部８に搬送するための搬送ローラ及び搬送ローラ駆動用のモータや、画像形成処理後の印刷用紙を図示しない排紙トレイに搬送するための搬送ローラ及び搬送ローラ駆動用のモータなどから構成されている。
【００１４】
画像読取部６は、ＡＤＦ（自動原稿送り装置）とＣＣＤ(Charge Coupled Device)センサ等を備え、ＡＤＦによって順次給紙される原稿の画像をＣＣＤセンサに読み取らせ、原稿画像に基づく原稿画像データを出力する。なお、画像読取部６は、原稿画像データをＣＰＵ１に出力し、一方、ＣＰＵ１は、原稿画像データをＨＤＤ(Hard Disk Drive)７に記憶させる。
【００１５】
ＨＤＤ７は、ＣＰＵ１の要求に応じて原稿画像データを記憶する一方、原稿画像データをＣＰＵ１に出力する。
【００１６】
画像形成部８は、ＣＰＵ１の制御の下、ＨＤＤ７に記憶されている原稿画像データに基づいてトナーによって形成される印刷画像を、用紙搬送部５から搬送される印刷用紙に転写し、当該印刷画像の定着処理を行う。
【００１７】
送受信部９は、ローカルエリアネットワーク（図示略）を介してパーソナルコンピュータ（図示略）等の外部機器に接続し、この外部機器との間で各種信号の送受信を行う。
【００１８】
操作表示部１０は、スタートキー、ストップキー、電源キー、テンキー（数値入力キー）、タッチパネル１０ａ、クリアキーやその他の各種操作キーを備えており、それぞれのキーの操作指示をＣＰＵ１に出力すると共に、ＣＰＵ１の制御の下、タッチパネル１０ａに種々の画面を表示する。
【００１９】
図２は、複合機Ａの操作表示部１０のタッチパネル１０ａの表示状態を示す図である。図２においては、標準的なサイズを有し通常の表示に供される標準サムネイル画像Ｔｈｕｍ１〜Ｔｈｕｍ５が示されている。
【００２０】
図２に示されるように、標準サムネイル画像Ｔｈｕｍ１〜Ｔｈｕｍ５のうち、標準サムネイル画像Ｔｈｕｍ３，Ｔｈｕｍ５は、互いの類似度（一致率）が高いので、目視による区別が困難である。本実施形態に係る複合機Ａにおいては、標準サムネイル画像Ｔｈｕｍ３，Ｔｈｕｍ５それぞれに縁取り線を表示することにより、ユーザに対して、これらが類似していることと、これらの拡大表示が操作により可能であることとを通知している。
【００２１】
図３は、図２において、標準サムネイル画像Ｔｈｕｍ３に代えて、これを倍サイズに拡大させた拡大サムネイル画像Ｔｈｕｍ３ａを表示させたものである（あるいは、標準サムネイル画像Ｔｈｕｍ５を倍サイズに拡大させてもよい）。拡大サムネイル画像Ｔｈｕｍ３ａ等を表示させることにより、ユーザは、拡大サムネイル画像Ｔｈｕｍ３ａ，Ｔｈｕｍ５ａの差異すなわち標準サムネイル画像Ｔｈｕｍ３，Ｔｈｕｍ５の差異を検知することができる。図３の拡大サムネイル画像Ｔｈｕｍ３ａは、タッチパネル１０ａにおいて、図２の標準サムネイル画像Ｔｈｕｍ３をユーザがタッチすることで、表示制御手段１３により表示される。
【００２２】
図４は、本実施形態に係る複合機Ａの動作を示すフローチャートである。
【００２３】
ステップＳ１０１において、画像読取部６は、原稿の画像を読み取ることにより、原稿画像データを生成し、ＨＤＤ７に保存する。そして、ステップＳ１０２へ進む。
【００２４】
ステップＳ１０２において、画像生成手段１１は、ステップＳ１０１にて生成された原稿画像データに基づき、標準サムネイル画像と拡大サムネイル画像とをそれぞれ生成し、ＲＡＭ３に記憶させる。そして、ステップＳ１０３へ進む。
【００２５】
ステップＳ１０３において、ＣＰＵ１は、ＨＤＤ７に他の標準サムネイル画像が保存されているかどうかを判定する。そして、ＨＤＤ７に他の標準サムネイル画像が保存されている場合には、比較する必要があるので、ステップＳ１０４へ進み、ＨＤＤ７に他の標準サムネイル画像が保存されていない場合には、比較する必要がないので、ステップＳ１０７へ進む。
【００２６】
ステップＳ１０４において、類似度導出手段１２は、周知の技術を用いて、ステップＳ１０１にて生成された標準サムネイル画像とＨＤＤ７に保存されている他の標準サムネイル画像とを比較することにより、これらの類似度を導出し、テーブル情報としてＨＤＤ７に保存する。なお、ＨＤＤ７に他の標準サムネイル画像が複数保存されている場合には、それぞれに対応する複数の類似度が導出されテーブル情報として保存される。そして、導出された類似度それぞれについて、ユーザにより予めＨＤＤ７に設定されている閾値以上であるかどうかを判定する。そして、閾値以上である類似度が全くない場合には、拡大サムネイル画像を保存する必要がないので、ステップＳ１０５へ進み、閾値以上である類似度が１つでもある場合には、拡大サムネイル画像を保存する必要があるので、ステップＳ１０６へ進む。なお、以下では、閾値が９０％に設定されている場合を例にとり説明する。
【００２７】
ステップＳ１０５において、ＣＰＵ１は、ステップＳ１０２にてＲＡＭ３に記憶された拡大サムネイル画像を、ＨＤＤ７に保存することなくＲＡＭ３から削除する。そして、ステップＳ１０７へ進む。
【００２８】
ステップＳ１０６において、ＣＰＵ１は、ステップＳ１０２にてＲＡＭ３に記憶された拡大サムネイル画像を、ＨＤＤ７に保存した後にＲＡＭ３から削除する。そして、ステップＳ１０７へ進む。
【００２９】
ステップＳ１０７において、ＣＰＵ１は、ステップＳ１０２にてＲＡＭ３に記憶された標準サムネイル画像を、ＨＤＤ７に保存した後にＲＡＭ３から削除する。
【００３０】
以上の一連の工程により、１枚の原稿の読み取りが行われるとともに、この原稿のサムネイル画像と、このサムネイル画像と他のサムネイル画像それぞれとの類似度が保存される。
【００３１】
図５は、図４のステップＳ１０４において保存される、サムネイル画像の類似度に関するテーブル情報を示す図である。
【００３２】
テーブル情報に示されるように、標準サムネイル画像Ｔｈｕｍ１〜Ｔｈｕｍ５同士の類似度は、標準サムネイル画像Ｔｈｕｍ３，Ｔｈｕｍ５の組み合わせでは９０％以上（９５％）であり、他の組み合わせでは９０％より小さい。従って、上述したように、図２においては、標準サムネイル画像Ｔｈｕｍ３，Ｔｈｕｍ５のみにそれぞれ縁取り線が表示される。導出された類似度をテーブル情報として保存することにより、前回に導出された類似度を次回に流用することができる。従って、画像の比較処理の回数を低減できるので、ＣＰＵ１等のリソースを他の処理に割り当てることができる。
【００３３】
図６は、操作表示部１０のタッチパネル１０ａに表示される閾値設定画面を示す図である。図６に示されるように、ユーザは、閾値設定手段１４の制御により、操作表示部１０において、タッチパネル１０ａに表示される閾値設定画面に応答してテンキー等を操作することで、所望の閾値を設定することができる。
【００３４】
このように、本実施の形態に係る複合機Ａは、元画像を縮小させることにより、標準サムネイル画像および前記標準サムネイル画像を拡大させた拡大サムネイル画像をそれぞれ生成する画像生成手段１１と、前記標準サムネイル画像および前記拡大サムネイル画像を表示するとともにユーザからの操作により指示を受け付ける操作表示部１０と、第１の元画像を縮小させた第１の標準サムネイル画像と第２の元画像を縮小させた第２の標準サムネイル画像との類似度を導出する類似度導出手段１２と、前記類似度が所定値以上である場合に、操作表示部１０において、前記第１の標準サムネイル画像と前記第２の標準サムネイル画像とが類似していることを表示させ、操作表示部１０により受け付けられたユーザからの指示に応じて、前記第１の標準サムネイル画像を拡大させた第１の拡大サムネイル画像または前記第２の標準サムネイル画像を拡大させた第２の拡大サムネイル画像を表示させる制御を行う表示制御手段１３とを備える。従って、表示されるサムネイル画像の数を増やすことなくサムネイル画像を判別しやすくすることができる。
【００３５】
なお、上述においては、図４に示されるように、ステップＳ１０２において、標準サムネイル画像に併せて先に拡大サムネイル画像を生成しておき、ステップＳ１０４において、拡大サムネイル画像が必要でないと分かった場合には、ステップＳ１０５において、拡大サムネイル画像を保存せず削除する例について説明した。しかし、これに限らず、拡大サムネイル画像は、必要と分かった後に初めて生成するようにしてもよい。但し、拡大サムネイル画像を標準サムネイル画像に併せて生成することにより、処理時間を短縮することができる。
【００３６】
また、上述においては、操作手段と表示手段とが操作表示部１０として一体化されている場合について説明したが、これに限らず、操作手段と表示手段とが別々に設けられてもよい。
【図面の簡単な説明】
【００３７】
【図１】本発明の第１の実施形態に係る複合機Ａの機能ブロック図である。
【図２】本発明の第１の実施形態に係る複合機Ａの操作表示部１０のタッチパネル１０ａの表示状態（標準サムネイル画像）を示す図である。
【図３】本発明の第１の実施形態に係る複合機Ａの操作表示部１０のタッチパネル１０ａの表示状態（拡大サムネイル画像）を示す図である。
【図４】本発明の第１の実施形態に係る複合機Ａの動作を示すフローチャートである。
【図５】本発明の第１の実施形態に係るサムネイル画像の類似度に関するテーブル情報を示す図である。
【図６】本発明の第１の実施形態に係る複合機Ａの操作表示部１０のタッチパネル１０ａに表示される閾値設定画面を示す図である。
【符号の説明】
【００３８】
１  ＣＰＵ、２  ＲＯＭ、３  ＲＡＭ、４  各種センサ群、５  用紙搬送部、６  画像読取部、７  ＨＤＤ、８  画像形成部、９  送受信部、１０  操作表示部、１０ａ  タッチパネル、１１  画像形成手段、１２  類似度導出手段、１３  表示制御手段、１４  閾値設定手段、Ａ  複合機。
【図１】
2010056624.tif 000003
【図２】
2010056624.tif 000004
【図３】
2010056624.tif 000005
【図４】
2010056624.tif 000006
【図５】
2010056624.tif 000007
【図６】
2010056624.tif 000008